(57)【要約】【課題】  高品質な写真撮影が容易に行うとともに、被写体が逆光状態となることを防止することのできるカメラを提供することを目的とする。【解決手段】  フィルム感度検出部１２によりフィルム感度がＩＳＯ１６００以上であると検出された場合であって、測光部１３により検出された外光輝度が、被写体を逆光状態にする所定輝度以上の場合には、制御部１９は、ストロボ発光部１５を発光させる。また、フィルム感度検出部１２によりフィルム感度が所定感度以上であると検出された場合であって、測光部１３により検出された外光輝度が前記所定輝度より小さい場合には、制御部１９は、ストロボ発光部１５を発光させないよう制御する。【選択図】  図７
2006243187.tif 000002
【特許請求の範囲】
【請求項１】
撮像媒体の撮像感度を検出する感度検出手段と、
被写体に対して発光する発光手段と、
外光輝度を検出する輝度検出手段と、
前記感度検出手段により撮像媒体の感度が所定感度以上であると検出された場合であって、前記輝度検出手段により検出された外光輝度が所定の第１輝度領域にある場合には、検出された輝度に対応した露出基準値から第１の露出補正値を減じて算出された露出目標値に基づいて露出制御を行い、前記感度検出手段により撮像媒体の感度が所定感度以上であると検出された場合であって、前記輝度検出手段により検出された外光輝度が前記第１輝度領域より大きい領域に設定されている第２輝度領域にある場合には、露出基準値から前記第１の露出補正値より小さい値に設定されている第２の露出補正値を減じて算出された露出目標値に基づいて露出制御を行う露出制御手段と、
前記感度検出手段により撮像媒体の感度が所定感度以上であると検出された場合であって、被写体が逆光状態であると判断した場合、前記発光手段を発光させ、前記感度検出手段により撮像媒体の感度が所定感度以上であると検出された場合であって、被写体が逆光状態でないと判断した場合、前記発光手段を発光させないよう制御する発光制御手段と、
を備えるカメラ。
【請求項２】
前記発光制御手段は、前記輝度検出手段により検出された外光輝度が、被写体を逆光状態にする所定輝度以上である場合には、被写体は逆光状態と判断し、前記輝度検出手段により検出された外光輝度が前記所定輝度より小さい場合には、被写体は逆光状態ではないと判断する
ことを特徴とする請求項１記載のカメラ。
【請求項３】
前記発光制御手段は、撮影される範囲における中心部分と外側部分との比または輝度差に基づいて被写体が逆光状態であるか否かを判断する
ことを特徴とする請求項１記載のカメラ。
【発明の詳細な説明】
【技術分野】
【０００１】
本発明は、周囲の明るさに応じた高品質な撮影が行えるカメラに関する。
【背景技術】
【０００２】
近年、ストロボ発光を行うことなく、高品質な写真撮影が容易に行えるカメラとして、「木村正博、カラーネガフィルムを活かす「富士フィルム『ナチュラルフォトシステム』ＮＡＴＵＲＡ」、写真工業、写真工業出版社、２００４年１１月１日、第６２巻、第１１号、Ｐ４３−４５」（特許文献１）に記載されているナチュラルフォトシステムが知られている。このナチュラルフォトシステムによると、フィルム感度が所定感度以上である場合には、ストロボによる発光を行うことなく、自然光による撮影を行うことができ、高品質の写真を得ることができる。
【非特許文献１】木村正博、カラーネガフィルムを活かす「富士フィルム『ナチュラルフォトシステム』ＮＡＴＵＲＡ」、写真工業、写真工業出版社、２００４年１１月１日、第６２巻、第１１号、Ｐ４３−４５
【発明の開示】
【発明が解決しようとする課題】
【０００３】
しかしながら、上述ナチュラルフォトシステムは、外光輝度が所定輝度以上である場合には、被写体を逆光状態のまま撮影する場合がある。
【０００４】
そこで、本発明は、高品質な写真撮影を容易に行うとともに、被写体を逆光状態のまま撮影することを防止することのできるカメラを提供することを目的とする。
【課題を解決するための手段】
【０００５】
上述の課題を解決するために、本発明のカメラは、撮像媒体の撮像感度を検出する感度検出手段と、被写体に対して発光する発光手段と、外光輝度を検出する輝度検出手段と、前記感度検出手段により撮像媒体の感度が所定感度以上であると検出された場合であって、前記輝度検出手段により検出された外光輝度が所定の第１輝度領域にある場合には、検出された輝度に対応した露出基準値から第１の露出補正値を減じて算出された露出目標値に基づいて露出制御を行い、前記感度検出手段により撮像媒体の感度が所定感度以上であると検出された場合であって、前記輝度検出手段により検出された外光輝度が前記第１輝度領域より大きい領域に設定されている第２輝度領域にある場合には、露出基準値から前記第１の露出補正値より小さい値に設定されている第２の露出補正値を減じて算出された露出目標値に基づいて露出制御を行う露出制御手段と、前記感度検出手段により撮像媒体の感度が所定感度以上であると検出された場合であって、被写体が逆光状態であると判断した場合、前記発光手段を発光させ、前記感度検出手段により撮像媒体の感度が所定感度以上であると検出された場合であって、被写体が逆光状態でないと判断した場合、前記発光手段を発光させないよう制御する発光制御手段と、を備えている。
【０００６】
この発明によれば、感度検出手段により撮像媒体の感度が所定感度以上であると検出された場合であって、輝度検出手段により検出された外光輝度が所定の第１輝度領域にある場合には、第１の露出補正値を露出基準値から減じて算出された露出目標値に基づいて露出制御を行い、外光輝度が所定の第２輝度輝度領域にある場合には、第２の露出補正値をもって露出基準値から減じて算出された露出目標値に基づいて露出制御をする。また、被写体を逆光状態にする場合には、発光手段を発光させ、被写体を逆光状態にしない場合には発効手段を発光しないように制御することができる。これにより、撮像媒体が所定感度以上のものであって、外光輝度が第１の輝度領域にある場合の、比較的外光輝度が暗い場合には、発光手段による発光制御を行うことなく、露出制御を行うことにより、被写体を自然な光のままで撮影をすることができる。一方で、所定輝度以上の明るい場所で撮影しようとする場合、外光輝度により被写体を逆光状態にしてしまうことがあるが、発光手段による発光のため、逆光状態を防止することができる。
【０００７】
また、本発明の発光制御手段は、前記輝度検出手段により検出された外光輝度が、被写体を逆光状態にする所定輝度以上である場合には、被写体は逆光状態と判断し、前記輝度検出手段により検出された外光輝度が前記所定輝度より小さい場合には、被写体は逆光状態ではないと判断することが好ましい。
【０００８】
この発明によれば、外光輝度が所定値以上であるか否かに基づいて被写体の逆光状態を判断することができる。発光手段による発光は、第三者に迷惑をかける場合があるが、外光輝度が所定輝度以上の比較的明るい場所であることから、発光手段による発光により第三者に迷惑をかけることは少なくなる。
【０００９】
また、本発明の発光制御手段は、撮影される範囲における中心部分と外側部分との比または輝度差に基づいて被写体が逆光状態であるか否かを判断することが好ましい。
【００１０】
この発明によれば、撮影される範囲における中心部分と外側部分との比または輝度差に基づいて被写体が逆光状態であると判断することにより、確実に被写体が逆光状態であることを判断することができる。よって、確実に高品質な撮影を実現することができる。
【発明の効果】
【００１１】
本発明は、現実に近い光による撮影を容易に行うことができるとともに、被写体が逆光状態となる場合には、発光手段による発光により逆光状態を防止することができる。
【発明を実施するための最良の形態】
【００１２】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００１３】
図１は、本実施形態のカメラ１０の斜視図である。図１に示すように、１３５フィルムフォーマットのパトローネを装填するレンズシャッターカメラである。このカメラ１０は、その上端にレリーズボタン１１が設けられている。カメラ１０の前面の中央部には、フォーカスレンズ８を組み込んだ鏡胴２０（後述するシャッター部１６を内蔵する）が取り付けられている。この鏡胴には、フォーカスレンズ８およびシャッターからなるオートフォーカス動作が可能な撮影レンズ鏡胴が用いられる。カメラ１０の上部にはファインダ５、ストロボ発光部１５、ＡＦ投光窓１７ａ及びＡＦ受光窓１８ａが設けられている。これらＡＦ投光窓１７ａおよびＡＦ受光窓１８ａを通じて発光し受光できるように、後述する投光部（ＩＲＥＤ（赤外線発光ダイオード））１７および受光部（ＰＳＤ（位置検出素子））１８が配置され、これら投光部１７及び受光部１８は、例えば三角測量の原理に基づいて被写体までの距離を測定する測距部を構成している。
【００１４】
また、カメラ１０には、測光部１３が設けられている。測光部１３は、撮影視野内の外光輝度を測定する輝度検出手段として機能する。この測光部１３は、例えば中央重点平均測光センサとして一つのＳＰＤデバイス（赤外カットフィルタを光路上に内蔵したもの）を備えたものが用いられる。このＳＰＤデバイスは近似的に撮影レンズ光学系の光軸上に向けられている。
【００１５】
図２は、本実施形態のカメラ１０のブロック構成図である。カメラ１０は、例えば、１３５フィルムフォーマットのパトローネを装填するレンズシャッターカメラに適用される。このカメラ１０は、レリーズボタン１１、フィルム感度検出部１２、測光部１３、メモリ部１４、ストロボ発光部１５、シャッター部１６、投光部１７、受光部１８、制御部１９を備えている。以下、各部について説明する。
【００１６】
レリーズボタン１１は、ユーザが被写体を撮影しようとするときに押下するボタンである。このレリーズボタン１１が押下されるとシャッター部１６がシャッターの開閉動作を行う。
【００１７】
フィルム感度検出部１２は、フィルム装填部（図示せず）に装填されたフィルムの感度を検出する感度検出手段である。フィルム感度検出部１２は、フィルムパトローネに示されるＣＡＳコードのうち感度をあらわす部分を読取り、読取った情報を制御部１９に出力する。制御部１９では、出力された情報に基づいてフィルム感度を認識することができる。フィルム感度はＩＳＯ（International Organization for Standardization）で定められている。なお、ユーザがマニュアル操作においてフィルム感度を設定するようにしてもよい。
【００１８】
測光部１３は、被写体を含む外光輝度を検出する輝度検出手段である。測光部１３が測定した輝度を示す情報を制御部１９に出力し、制御部１９では、外光輝度をＡＰＥＸ単位であるＢＶ値（Brightness Value）に変換する。なお、ＬＶ値（LightValue）（ＬＶ値＝ＢＶ値＋ＳＶ値）を用いてもよい。
【００１９】
メモリ部１４は、補正制御テーブル、プログラム線図、および動作プログラムを記憶している。補正制御テーブルは、ＢＶ値とΔＥＶ値とを対応付けて記憶する制御情報である。ΔＥＶ値とは、露出基準値を補正するための露光補正値である。露出基準値は、例えばＢＶ値にＡＰＥＸ単位であるＳＶ値（Film Speed Value）を加算することにより算出される。そして、露出目標値であるＥＶ値（Exposure Value）は、ＢＶ値にＳＶ値を加算したものから露光補正値ΔＥＶを減じることにより算出される。
【００２０】
この補正制御テーブルの具体例を示す。図３は、補正制御テーブルの概念図である。図３に示すように、ＢＶ値とΔＥＶ値とが対応付けて記憶されている。この補正制御テーブルに記憶されている情報に基づき、測光部１３が検出したＢＶ値に対応するΔＥＶ値が設定される。そして、ＢＶ値＋ＳＶ値により算出された露出基準値からΔＥＶ値を減算することにより、補正された露出目標値ＥＶが算出される。
【００２１】
プログラム線図は、露出制御のためのＡＰＥＸ単位で示されるＥＶ値と、同じくＡＰＥＸ単位であるＴＶ値（Shutter Speed Value）およびＡＶ値（Aperture Value）とを対応
付けた制御情報である。なお、ＴＶ値とは、シャッタースピードを示し、ＡＶ値とは、Ｆ値（レンズ絞り）を示す情報である（図８参照）。
【００２２】
動作プログラムは、カメラ１０における撮影動作に関する一連の制御処理を行うためのプログラムである。
【００２３】
ストロボ発光部１５は、測光部１３が測定した外光輝度に基づき、自動的に又はユーザの操作により、被写体にストロボ光を発光するものである。なお、本実施形態におけるストロボ発光部１５は、ＢＶ値があらかじめ定めた範囲（例えばＢＶ値＜３）では使用できないよう設定されることも可能である。
【００２４】
シャッター部１６は、制御部１９による露出制御（シャッタースピードおよびＦ値（レンズ絞り））に基づいて、Ｆ値で示された径で開口し、シャッタースピードで示された時間経過すると閉口する動作を行うものであり、シャッター部１６が開口している間レンズを通して得た画像はフィルムに転写される。
【００２５】
投光部１７は、被写体までの距離を測定するためのものであり、被写体に対して光を照射するものである。
【００２６】
受光部１８は、投光部１７が照射した光が被写体から反射した光に基づいて被写体までの距離を算出するものである。具体的には、受光部１８は、受光した光に基づいた光量を示す情報を制御部１９に出力し、制御部１９は、入力された光量を示す情報に基づいて被写体までの距離を算出する。これら投光部１７、受光部１８から測距部が構成されている。
【００２７】
制御部１９は、カメラ全体の制御を行う制御手段であり、例えばＣＰＵ、ＲＯＭ、ＲＡＭ、入力信号回路、出力信号回路などを備えて構成されている。この制御部１９は、後述する動作フローチャートを実行する。例えば、レリーズボタン１１の押下を検出すると、シャッター部１６を動作させるよう指示を出力する。また、フィルム感度検出部１２からの情報に基づいてフィルム感度を判断する。また、測光部１３から出力された被写体の光量を示す情報に基づいてＢＶ値を算出する。また、レリーズボタン１１が半押しされた状態を検出すると、測距部を動作させる。さらに露出基準値から露出補正値（ΔＥＶ）を減算することにより補正された露出目標値を算出し、露出目標値による露出制御を行い、測光値に基づいてストロボ発光による撮影を行うか否かを判断し制御する。このように、制御部１９は、露出制御を行う露出制御手段、およびストロボ発光を制御する発光制御手段としても機能する。
【００２８】
次に、このように構成されたカメラ１０の露出制御における動作について説明する。
【００２９】
まず、本実施形態のカメラ１０における露出制御の概要について説明する。図４は、第１の実施形態における露出制御の概念図であり、補正制御テーブルに記憶されているＢＶ値とΔＥＶ値との対応を模式的に表したものである。
【００３０】
図４に示すとおり、縦軸にΔＥＶ値を、横軸にＢＶ値をとっている。ＢＶ値が０〜３の範囲（第一輝度領域）にあるときは、ΔＥＶ値を２としている。また、ＢＶ値が３．５〜９の範囲（第二輝度領域）にあるときは、ΔＥＶ値を１としている。そして、ここで得たΔＥＶ値を用いて、露出目標値を算出する。すなわち、ＢＶ値にＳＶ値を加算して得られた露出基準値（Ｂｖ＋Ｓｖ）からΔＥＶ値を減じることにより、露出目標値を算出する。このようにして得られたＥＶ値を用いて露出制御は行われる。なお、図４では、第一輝度領域のΔＥＶ値を２、第二輝度領域におけるΔＥＶ値を１として固定値で表しているが、固定値であることに限らない。つまり、図４のグラフにおいてＢＶ値に応じてΔＥＶ値を増減させるよう露出補正の特性に傾斜をもたせるようにしてもよい。
【００３１】
ここで、第一輝度領域は、室内などの人工照明下を想定した明るさを示す部分である。近年は雰囲気を重視することからタングステンや電球色の蛍光灯など、色温度の低い光源（３０００Ｋ程度）が多く使われているようになってきた。よって、カメラの測光は標準比視感度に準じた分光感度により行われるため、色温度の低い照明下では青色の露出が不足しがちとなる。そのため、第一輝度領域については、青色の露出を上げることができるように、ＥＶ値で２段階露出を上げるようにする。つまり、通常の露出基準値からΔＥＶ値を２減算することにより、露出を上げるよう露出目標値を補正する。ここで、自然な光による撮影を確実に行うため、ストロボ発光部１５による発光を行わないようにすることができる。具体的には、ＢＶ値が第一輝度領域にあるときは、ストロボ発光部１５の発光を禁止するようなプログラムとすることができる。ただし、この場合でも、ユーザの操作によりストロボを強制発光させることは可能である。
【００３２】
なお、第一輝度領域は、シャッター制御可能範囲の下限ＢＶ値からＢＶ値を３とする値までとする。シャッター制御可能範囲の下限とは、手ぶれ規制などのシャッター速度に制限を設けている場合はその速度とする。規制がない場合は、ＢＶ値が−３から３までの範囲とする。
【００３３】
また、第二輝度領域は、屋外における曇天または晴天時を想定した明るさを示す部分である。第二輝度領域における色温度は中庸（約５０００Ｋ（ケルビン））であり、カメラが取得したＢＶ値が第二輝度領域の範囲内にあるときに、適正露出を与えることで大部分の撮影環境で適切な撮影を行うことができる。そのため第二輝度領域については、撮影状態における光量のばらつきをも考慮する必要がある。そして、全体的に露出不足となることを防止するため、ＥＶ値で１段階露出を上げるようにする。つまり、ＢＶ値＋ＳＶ値により算出された露出基準値からΔＥＶ値を１減算することにより、露出を上げるよう露出目標値を補正する。
【００３４】
なお、第二輝度領域は、ＢＶ値を３．５とする値からシャッター制御可能範囲の上限ＢＶ値までとする。シャッター制御可能範囲の上限とは、シャッター速度を限界まで速くした場合の速度であり、または、プログラムとして制御可能な範囲をいう。
【００３５】
また、第一輝度領域におけるΔＥＶ値の平均補正値をΔＥ１、第二輝度領域におけるΔＥＶ値の平均補正値をΔＥ２とすると、ΔＥ１−ΔＥ２≧０．８を満たすΔＥＶ値をとることができれば、上述図４に示すΔＥＶ値以外の露出補正値を設定してもよい。以下、ΔＥ１−ΔＥ２≧０．８とすることが好ましい理由を説明する。
【００３６】
カラーネガにおける赤感層、緑感層、および青感層における波長ごとの分光感度をＳｒ、Ｓｇ、Ｓｂとする。また、光源の相対エネルギー５０００Ｋ（ケルビン）、３０００Ｋ（ケルビン）における波長ごとの相対強度をＩ５０００、Ｉ３０００とすると、次の式（１）に示す結果が得られる。
【数１】
2006243187.tif 000003
【００３７】
一般的にカラーネガにおける色ごとの分光感度は、図５に示すグラフのとおりである。また、代表的な光源（屋内における光源、屋外における光源）の色温度における相対強度は図６に示すグラフのとおりである。以下の式１は、図５、および図６において示される緑感層および青感層の各波長における相対分光感度と相対強度とを乗算して累積的に加算したものの比を算出したものである。
【００３８】
この式（１）から、３０００Ｋの相対エネルギーを有する光源においては、５０００Ｋの相対エネルギーを有する光源と比べて、緑感層に対して青感層は１／２．１５の光しか感光できないことがわかる。ここで算出した値に基づいて、次の式（２）を用いて露出差に換算する。
【数２】
2006243187.tif 000004
【００３９】
この計算結果は、カラーネガにおいては緑感層に対して青感層はＥＶ値で１．１１だけ露出が少なくなることを意味している。
【００４０】
カメラの測光は緑感層の分光感度に準じる標準比視感度で行われる。このため、カメラ測光値に対してＥＶ値において＋１．１１の露出補正を行うと、青感層に対しても適正露出を与えることができる。一方、緑感層に対してもＥＶ値において＋１．１１の露出補正がされることになる。しかし、カラーネガは露出オーバに対して大きなラチチュードを持つため、露出オーバしても問題はない。
【００４１】
そして、現実的な光源のばらつきなどを考慮した数値としてＥＶ値として０．８以上の差をもって（すなわち、ΔＥ１−ΔＥ２≧０．８とする）露出補正することが好ましい数値となる。なお、第一輝度領域、第二輝度領域においてΔＥＶ値を実質的に一定値とする場合（微小に増減する場合も含む）、ΔＥ１、ΔＥ２はそれぞれの範囲における平均値と定義する。また、ΔＥＶ値が一定値となるような制御でない場合（各々の輝度領域においてΔＥＶ値で０．５以上の変動がある場合）、ΔＥ１については第一輝度領域における最低値を採用し、ΔＥ２については第二輝度領域における最大値を採用することとする。
【００４２】
また、ΔＥ１−ΔＥ２≧０．８とする数値条件については、３０００Ｋ、５０００Ｋの光源との比較において算出した数値条件であるが、現実の世界においては様々な光源が存在する。例えば、色温度が高い光源における比較において上述式（２）を算出すると、ＥＶ値が０．５〜０．８となる場合もある。そうした場合、さらに現実に存在するあらゆる光源を想定した数値としてΔＥ１−ΔＥ２≧０．５とすることも好ましい。
【００４３】
次に、上述した露出制御の概念に基づいてストロボ発光を行うことのできるカメラ１０の具体的な動作について説明する。図７は、カメラ１０の動作を示すフローチャートである。このフローチャートの制御処理はメモリ部１４に格納されているプログラムに基づき制御部１９によって実行される。
【００４４】
制御部１９は、カメラ１０のレリーズボタン１１が押下されたことを判断すると（Ｓ１）、測光部１３に対して測光処理を行うよう指示を出力する。測光部１３は、外光輝度を検出し、検出信号を出力する。制御部１９は、入力された検出信号に基づいて輝度値となるＢＶ値を算出する（Ｓ２）。
【００４５】
制御部１９は、フィルム感度に応じたＳＶ値とＢＶ値を加算して露出基準値を算出する（Ｓ３）。例えば、ＥＶ値＝ＢＶ値＋ＳＶ値からなる数式を用いてＥＶ値を算出する。具体的に示すと、ＩＳＯ１６００のフィルムのＡＰＥＸ単位は＋９であり、ＢＶ値が３のときには、露出基準値は９＋３＝１２となる。
【００４６】
そして、制御部１９は、フィルム感度検出部１２が検出したフィルムの感度がＩＳＯ１６００で示される感度以上であるか否かを判断する（Ｓ４）。
【００４７】
制御部１９は、フィルム感度がＩＳＯ１６００で示される感度以上であると判断すると、露出基準値を補正する（Ｓ５）。具体的には、制御部１９は、補正制御テーブルから上述算出したＢＶ値に対応したΔＥＶ値を取り出す。そして、制御部１９は、Ｓ３において算出した露出基準値からΔＥＶ値を減算することにより、露出基準値を補正して露出目標値を算出する。つまり、検出された外光輝度が所定の第１輝度領域にある場合には、露出基準値から第１の露出補正値を減じて露出目標値を算出し、検出された外光輝度が第１輝度領域より大きい領域に設定されている第２輝度領域にある場合には、露出基準値から、第２の露出補正値を減じて露出目標値を算出する。なお、第２の露出補正値は第１の露出補正値より小さい値に設定されている。
【００４８】
制御部１９は、測光部１３により得た測光値が所定輝度以上であるか否かを判断する（Ｓ６）。なお、ここでの「所定輝度」とは、被写体が逆光状態となるような輝度をいい、例えば、ＥＶ値＝１４に対応する外光輝度であり、また第１輝度領域より大きい値であることが好ましい。Ｓ６において、測光値が所定輝度以上ではないと、制御部１９が判断した場合、露出目標値ＥＶを用いて露出制御を行う（Ｓ７）。ここでいう露出制御とは、レンズの絞り（ＡＶ値）とシャッタースピード（ＴＶ値）とを制御するものである。この露出制御は、例えば、図８に示すようなプログラム線図を用いて行われる。
【００４９】
制御部１９は、割り出されたシャッタースピードとＦ値とを用いて撮影するようシャッター部１６に指示を出し、シャッター部１６は撮影を行う。すなわち、シャッター部１６におけるシャッター部分（羽根）における開口径をＦ値に基づいた大きさだけ開口し、シャッタースピードで示された所定時間後に閉口する（Ｓ８）。
【００５０】
また、Ｓ６において、測光値が所定輝度以上ではあると、制御部１９が判断した場合、露出目標値ＥＶを用いて露出制御を行う（Ｓ９）。そして、制御部１９は、ストロボ発光部１５を発光するよう指示するとともに、割り出されたシャッタースピードとＦ値とを用いて撮影するようシャッター部１６に指示を出す。シャッター部１６は、ストロボ発光部１５による発光に連動して撮影を行う（Ｓ１０）。
【００５１】
また、Ｓ４において、フィルム感度がＩＳＯ１６００以上ではない場合は、通常の処理であるＥＶ値＝ＢＶ値＋ＳＶ値とする露出制御を行い（Ｓ１１）、その後撮影する（Ｓ１２）。Ｓ１２においては、測光部１３により得た測光値に基づいて、必要に応じてストロボ発光部１５による発光に連動したシャッター部１６による撮影動作を行う。
【００５２】
このようにして、フィルム感度に基づいた露出制御を行うことができ、ストロボ発光を使用することなく、高品質の撮影を行うことができ、測光値に基づいてストロボ発光部１５による発光に連動した撮影を行うことができ、被写体の逆光対策を実現できる。また、所定輝度以上のときに発光手段による発光を行うため、第三者に発光手段の発光による迷惑をかけることを防止することができる。なお、本実施形態において、「逆光状態」とは、背景輝度に対して主要被写体の輝度が１ＥＶ以上暗い状態を言う。このような逆光状態の検出は、いかなる手段を用いて行われても良いが、撮影領域を分割して測光し、主要被写体の輝度と背景輝度とを比較することで逆光状態を推定する方法が最も簡易かつ好ましい方法である。逆光状態で、測光により得られた測光値に基づいて露光制御が行われると、主要被写体が露光不足となり好ましくない結果となる。これに対する解決手段としては、主要被写体が十分な露出となるように全体の露出を増やす方法、または、補助光を発光する手段を発光させ、主要被写体に十分な照明を与えて露光を行う方法、の二通りの方法がある。
【００５３】
なお、Ｓ６において、外光輝度を測定することにより被写体が逆光状態であることを判断する代わりに、被写体と被写体の周囲の明暗（輝度の差）により被写体が逆光状態であることを判断するようにしてもよい。その具体例を図９に示す。図９は、カメラ１０のファインダ５内で示される被写体１００を示す概念図であり、太陽が被写体１００の後ろに位置し、被写体１００が逆光状態であることを示している。カメラ１０は、被写体１００が逆光状態であることを判断するため、図示しない狭角輝度センサを用いてファインダ５の中心部分１０２の明るさ測定し、図示しない広角輝度センサを用いてファインダ５の外側部分１０１の明るさを測定する。そして、測定された中心部分１０２の明るさと外側部分１０１の明るさとの輝度比（中心部部分１０２の明るさ÷外側部分１０１の明るさ）が所定値以下である場合、または輝度の差（外側部分１０１の明るさ−中心部分１０２の明るさ）が所定値以上である場合、制御部１９は逆光状態であることを判断することができる。つまり、制御部１９は、撮影された範囲（ファインダ５に表示された範囲）における中心部分１０２と外側部分１０１との比または輝度差に基づいて被写体１００が逆光状態であると判断することができる。このように直接被写体１００の逆光状態を判断することで確実な撮影を行うことができる。
【００５４】
次に、図４に示した露出制御とは、別の第２の実施形態における露出制御について説明する。図１０は、図４に示した露出制御とは別の露出制御の概念図である。
【００５５】
図１０によると、ＢＶ値が０〜５を示す第一輝度領域については、ＥＶ値を２段階上げるよう制御している。また、ＢＶ値が５．５〜８を示す第二輝度領域については、ＥＶ値の補正を行わないようにしている。さらに、第２の実施形態においては、ＢＶ値が５未満のときにはストロボ発光は非発光とし、ＢＶ値が５以上のとき（つまり、図７におけるＳ６の所定輝度がＢＶ値≧５）にはストロボ発光を常時発光とするよう制御するものである。これにより、少なくとも屋内にいるときにはストロボ発光を使用することなく高品質で雰囲気のある写真を撮影することができる。また、屋外にいるときには、ストロボ発光を使用しても、ストロボ発光により被写体が浮き出てしまうといったことがあまりなく、やはり高品質の写真を撮影することができる。
【００５６】
以上説明したように、本実施形態に係るカメラ１０によれば、フィルム感度がＩＳＯ１６００以上の高感度である場合に、第一輝度領域の露光補正値ΔＥＶ１を第二輝度領域の露出補正値ΔＥＶ２に対し平均で少なくとも０．５Ｅｖ以上の大きい値とすることにより、撮影環境に応じた適切な露出制御が行え、ストロボ発光することなく、より現実に近い光による撮影を簡単に行うことができる。特に、室内の人工照明下での撮影環境において、青感層に対しても適正な露出を与えることができ、より高品質な写真撮影が行える。
【００５７】
その際、第一輝度領域の露光補正値ΔＥＶ１を第二輝度領域の露出補正値ΔＥＶ２に対し平均で少なくとも０．８Ｅｖ以上の大きい値とする場合、撮影環境に応じたより適切な露出制御が行え、ストロボ発光することなく、より現実に近い光による撮影を簡単に行うことができる。この場合も、室内の人工照明下での撮影環境において、青感層に対しても適正な露出を与えることができ、より高品質な写真撮影が行える。
【００５８】
また、本実施形態に係るカメラにおいて、ストロボ光を発光するストロボ発光手段を備え、外光輝度が所定値以下である場合は、ストロボ発光手段による発光を行わないようにすることが好ましい。これにより、ストロボ発光による人工的な光による写真撮影を防止して、より現実に近い光による撮影を簡単に行うことができる。
【００５９】
本実施形態においてはフィルムを用いたカメラに基づいて説明したが、本発明係るカメラはフィルムを用いたカメラに限定されるものではない。例えば、ＣＣＤを用いたデジタルカメラに適用してもよい。この場合、フィルム感度を検出する代わりにＣＣＤの設定感度を検出し、その設定感度がＩＳＯ感度１６００に相当する感度以上である場合に、第二輝度領域に対し低い輝度に設定される第一輝度領域において露出補正値を平均で少なくとも０．５Ｅｖ以上の大きい値に設定し、設定感度と輝度値（Ｂｖ）とに基づいて演算される露出基準値に対し露出補正値を減じて露出目標値として露出制御を行えばよい。この場合であっても、上述した実施形態に係るカメラと同様な作用効果が得られる。
【図面の簡単な説明】
【００６０】
【図１】本実施形態のカメラの斜視図である。
【図２】本実施形態のカメラのブロック構成図である。
【図３】図２のカメラにおける補正制御テーブルの概念図である。
【図４】図２のカメラにおける露出制御の概念図である。
【図５】カラーネガの分光感度を示す図である。
【図６】代表的光源の相対強度を示す図である。
【図７】図２のカメラの動作を示すフローチャートである。
【図８】図２のカメラにおける露出制御の具体例を示すプログラム線図である。
【図９】カメラ１０のファインダ５内で示される被写体を示す概念図である。
【図１０】第２の実施形態における露出制御の概念図である。
【符号の説明】
【００６１】
１０…カメラ、１１…レリーズボタン、１２…フィルム感度検出部、１３…測光部、１４…メモリ部、１５…ストロボ発光部、１６…シャッター部、１７…投光部、１８…受光部、１９…制御部。
【図１】
2006243187.tif 000005
【図２】
2006243187.tif 000006
【図３】
2006243187.tif 000007
【図４】
2006243187.tif 000008
【図５】
2006243187.tif 000009
【図６】
2006243187.tif 000010
【図７】
2006243187.tif 000011
【図８】
2006243187.tif 000012
【図９】
2006243187.tif 000013
【図１０】
2006243187.tif 000014